(57)【要約】【課題】  おむつ交換の利便性、清潔性、手軽性、安全性、又は作業性が良好であり、しかも構成が簡単で経済的なおむつ交換用具を提供する。【解決手段】  乳幼児１３を寝かせる座蒲団カバーからなるカバー部材１１と、カバー部材１１の中央部位置に設けられるベルト保持手段１６と、ベルト保持手段１６に取付けられ、乳幼児１３の胴部に装着するため、長さ調整可能で、かつその両端部に係合可能な雄雌型の連結具３３を備えるバンド部材３０と、カバー部材１１の下側位置に取付け取外し可能に設けられ、裏地が防水シートで表地が布地となったおむつ取替えシート５２とを有する。【選択図】        図１
0003111632.tif 000002
【実用新案登録請求の範囲】
【請求項１】
乳幼児を寝かせる布団カバー及び座蒲団カバーのいずれか一方からなるカバー部材と、
前記カバー部材の中央部位置に設けられるベルト保持手段と、
前記ベルト保持手段に取付けられ、前記乳幼児の胴部に装着するため、長さ調整可能で、かつその両端部に係合可能な雄雌型の連結具を備えるバンド部材と、
前記カバー部材の下側位置に取付け取外し可能に設けられ、裏地が防水シートで表地が布地となったおむつ取替えシートとを有することを特徴とするおむつ交換用具。
【請求項２】
請求項１記載のおむつ交換用具において、前記ベルト保持手段は、布地で構成されるベルト保持部と、該ベルト保持部を前記カバー部材に取付け取外し可能にする面状ファスナー、ボタン、ホック、及びスナップのいずれか１又は２以上からなる係止部材とを有することを特徴とするおむつ交換用具。
【請求項３】
請求項２記載のおむつ交換用具において、前記ベルト保持部は、その上端部及び下端部のいずれか一方側が前記カバー部材に縫い付けられ、他方側に前記係止部材が設けられていることを特徴とするおむつ交換用具。
【請求項４】
請求項１〜３のいずれか１項に記載のおむつ交換用具において、前記おむつ取替えシートと前記カバー部材には、互いに係合可能なファスナーが設けられていることを特徴とするおむつ交換用具。
【考案の詳細な説明】
【技術分野】
【０００１】
本考案は、乳幼児（例えば、寝返りを始めた生後４ヶ月の乳児から１歳半位の幼児）のおむつ交換用具に関する。
【背景技術】
【０００２】
従来、おむつ交換は作業者が単独で行っている。このおむつ交換作業は、作業者が乳幼児を仰向けに寝かせ、その両足を一方の手でつかんで乳幼児の動きを抑制し、残ったもう一方の手で、例えば、乳幼児のお尻拭き清掃、又はおむつの取り替えを行うものである。このように、おむつ交換作業は、作業者にとって大変苦労するものである。
そこで、おむつ交換作業を容易にするため、例えば特許文献１には、シート状マット本体に着脱可能に取付けられた硬質のプレート体と、このプレート体に取付けられ乳幼児を載置して傾斜可能な硬質板と、この硬質板に乳幼児の胴部を拘束する固定ベルトとを有するおむつ交換用具が提案されている。
【０００３】
【特許文献１】特開２００５−２１６２５号公報（図１）
【考案の開示】
【考案が解決しようとする課題】
【０００４】
しかしながら、前記したおむつ交換用具は、乳幼児の身体が硬質板に触れるため、乳幼児にとって違和感がありストレスを与える。
また、プレート体には、乳幼児の寝返りにより、乳幼児がシート状マット本体を巻き込んで横転しないように、プレート本体の両側に引出し可能な安定板が設けられているが、構成が複雑でおむつ交換用具を使用するまでにその準備に手間取る。
更に、シート状マット本体は、不浸透性生地で構成されているため、おむつ交換の際に乳幼児が放尿すれば、その尿がシート状マット本体全体に流れ出して乳幼児に付着する恐れがあり、衛生的でない。
【０００５】
本考案はかかる事情に鑑みてなされたもので、乳幼児のおむつ交換の利便性、清潔性、手軽性、安全性、又は作業性が良好であり、しかも構成が簡単で経済的なおむつ交換用具を提供することを目的とする。
【課題を解決するための手段】
【０００６】
前記目的に沿う本考案に係るおむつ交換用具は、乳幼児を寝かせる布団カバー及び座蒲団カバーのいずれか一方からなるカバー部材と、
前記カバー部材の中央部位置に設けられるベルト保持手段と、
前記ベルト保持手段に取付けられ、前記乳幼児の胴部に装着するため、長さ調整可能で、かつその両端部に係合可能な雄雌型の連結具を備えるバンド部材と、
前記カバー部材の下側位置に取付け取外し可能に設けられ、裏地が防水シートで表地が布地となったおむつ取替えシートとを有する。
【０００７】
また、本考案に係るおむつ交換用具において、前記ベルト保持手段は、布地で構成されるベルト保持部と、該ベルト保持部を前記カバー部材に取付け取外し可能にする面状ファスナー、ボタン、ホック、及びスナップのいずれか１又は２以上からなる係止部材とを有することが好ましい。
【０００８】
そして、本考案に係るおむつ交換用具において、前記ベルト保持部は、その上端部及び下端部のいずれか一方側が前記カバー部材に縫い付けられ、他方側に前記係止部材が設けられていることが好ましい。
【０００９】
更に、本考案に係るおむつ交換用具において、前記おむつ取替えシートと前記カバー部材には、互いに係合可能なファスナーが設けられていることが好ましい。
【考案の効果】
【００１０】
請求項１〜４記載のおむつ交換用具は、カバー部材である布団カバー又は座蒲団カバーを使用するので、何処の家庭にもあって手軽に準備でき、それなりの厚みを有する布団又は座蒲団上で、乳幼児のおむつ交換を実施できる。これにより、例えば、乳幼児の寝返りによって乳幼児がカバー部材自体を巻き込むことなく、しかも肌触りに違和感がないため乳幼児にストレスを与えることなく、おむつ交換を実施できる。
また、バンド部材により、乳幼児を布団又は座蒲団上に確実に配置できるので、作業者は両手を使用できる。これにより、おむつ交換を、従来よりも容易かつ迅速にでき、作業者のおむつ交換の負担を軽減できる。
そして、防水シートと布地を備えたおむつ取替えシートをカバー部材に設けるので、例えば、おむつ交換の際に乳幼児が放尿しても、その尿がおむつ取替えシートの布地に吸収され、しかも防水シートによりカバー部材への浸透を防止できる。これにより、おむつ交換が終了した後は、おむつ取替えシートをカバー部材から取外して洗濯でき、カバー部材を装着する布団本体又は座蒲団本体を汚すことも少なく、衛生的である。
なお、おむつ交換用具は、簡単な構成であるため、安価に製造でき経済的である。
このように、おむつ交換用具は、おむつ交換の利便性、清潔性、手軽性、安全性、又は作業性が良好であり、しかも構成が簡単で経済的である。
【００１１】
特に、請求項２及び３記載のおむつ交換用具は、ベルト保持手段の構成を簡単にでき、おむつ交換用具の利便性を従来よりも向上できると共に、その製造コストの低減も図ることができ経済的である。
【００１２】
請求項４記載のおむつ交換用具は、おむつ取替えシートが、ファスナーによってカバー部材に設けられているので、取付け取外し作業が容易である。
【考案を実施するための最良の形態】
【００１３】
続いて、添付した図面を参照しつつ、本考案を具体化した実施の形態につき説明し、本考案の理解に供する。
ここで、図１は本考案の一実施の形態に係るおむつ交換用具の使用状態の説明図、図２は同おむつ交換用具の平面図、図３（Ａ）〜（Ｆ）は同おむつ交換用具のベルト保持手段のボタン孔形成方法の説明図、図４（Ａ）、（Ｂ）は同おむつ交換用具のバンド部材の平面図、変形例に係るバンド部材の平面図、図５は変形例に係るおむつ交換用具の平面図である。
【００１４】
図１、図２に示すように、本考案の一実施の形態に係るおむつ交換用具１０は、座蒲団カバー（カバー部材の一例）１１を使用するものであり、座蒲団カバー１１内に座蒲団本体（中綿）を装入した座蒲団１２上に、乳幼児１３を寝かして固定し、乳幼児１３のおむつ交換を行うものである。以下、詳しく説明する。
【００１５】
座蒲団カバー１１は、例えば、織物、メリヤス、又は不織布で構成され、平面視して正方形又は長方形の袋状となったものであり、その材質として、例えば、綿、毛、及び化学繊維のいずれか１又は２以上を使用するものである。なお、座蒲団カバー１１の開口部１４の周縁には、互いに噛み合うファスナー１５が設けられ、座蒲団カバー１１内に座蒲団本体を装入した後、ファスナー１５を閉じる構成となっている。
この座蒲団カバー１１の一辺は、例えば、６０ｃｍ以上９０ｃｍ以下（ここでは、６３ｃｍ）程度である。このため、座蒲団カバー１１は、乳幼児１３の体長と比較して、その一辺の長さが不十分になる恐れがあるため、座蒲団カバー１１の対角線が、乳幼児１３の体長方向になるように配置して使用する。
ここで、座蒲団カバーとしては、クッションカバーも含む。
【００１６】
座蒲団カバー１１の中央部位置（対角線の中央部位置）には、ベルト保持手段１６が設けられている。このベルト保持手段１６は、布地（例えば、綿、毛、又は化学繊維）で構成されるベルト保持部１７と、このベルト保持部１７を座蒲団カバー１１に取付け取外し可能にする係止部材１８とを有している。
ベルト保持部１７は、平面視して長方形（正方形であってもよい）となっており、その短辺が乳幼児１３の体長方向になるように配置されている。このベルト保持部１７の上端部は、例えばミシンにより座蒲団カバー１１に縫い付けられ、下端部には係止部材１８が設けられている。
なお、ベルト保持部の下端部を座蒲団カバーに縫い付け、上端部に係止部材を設けることもでき、またベルト保持部の上端部及び下端部に、係止部材をそれぞれ設けることも可能である。
【００１７】
ベルト保持部１７の下端部に設けられる係止部材１８には、ベルト保持部１７の長手方向に、スナップ１９、面状ファスナー２０、及びスナップ２１が取付けられている。この各スナップ１９、２１は、座蒲団カバー１１に取付けられた雄型金具（ボールサイド）と、ベルト保持部１７に設けられ雄型金具に嵌まる雌型金具（ソケットサイド）とで構成される。
なお、係止部材は、面状ファスナーのみで構成することも、またスナップのみで構成することも可能であり、更にボタンとホックとを組み合わせて、又は単独で構成することも可能である。
【００１８】
なお、ボタンは、図３（Ｆ）に示す従来公知のボタン孔２２と、このボタン孔２２に入れるボタン本体とで構成することも可能である。このボタン本体は、座蒲団カバー又はベルト保持部に設けることができる。ここで、ボタン孔２２の形成方法について説明する。
まず、図３（Ａ）に示すように、２枚の布２３、２４を重ね合わせ、ボタン孔２２を形成するための輪郭（一点鎖線）に沿って、２枚の布２３、２４を縫い付ける。次に、この輪郭内の上側にＹ字状、下側に逆Ｙ字状の切れ目（実線）を入れ、開口部２５を形成する。そして、この開口部２５内に表側の布２３を入れ、図３（Ｂ）に示すように、他の布２４の裏側に移動させる。これにより、周縁が整った開口部２６が現れる。なお、図３（Ｃ）は開口部２６を裏面側からみた図である。
【００１９】
次に、裏側に移動した布２３を、図３（Ｄ）及び（Ｅ）に示すように、開口部２６の両側に位置する周縁２７、２８を基準とし、開口部２６の中心に向かって折り込み、更に、折り込んだ各部分を、開口部２６の中心位置２９で開口部２６の外側へ向かって再度折り畳む。そして、折り畳んだ部分を、開口部２６の上端及び下端でそれぞれ縫い付ける。なお、図３（Ｅ）は、開口部２６部分の断面図である。
これを表側からみると、図３（Ｆ）に示すように、通常婦人服に使用されているボタン孔２２が形成される。なお、ボタン孔としては、他のボタン孔、例えば、孔の周縁をかがった紳士服に使用されているものを使用することもできる。
【００２０】
ベルト保持手段１６を使用する際には、図２に示すように、スナップ１９、２１及び面状ファスナー２０の係合を解除して、ベルト保持部１７の下部を座蒲団カバー１１から取外し、ベルト保持部１７の上端部を基準として、二点鎖線位置まで反転させる。そして、座蒲団カバー１１上にバンド部材３０を配置した後、ベルト保持部１７を元の位置（実線位置）に戻し、スナップ１９、２１及び面状ファスナー２０を係合させて、ベルト保持部１７の下部を座蒲団カバー１１に取付ける。
なお、予めスナップ１９、２１及び面状ファスナー２０を係合させ、ベルト保持部１７の下部を座蒲団カバー１１に取付けた状態で、ベルト保持部１７と座蒲団カバー１１とで構成される開口部分に、バンド部材３０を挿通して、座蒲団カバー１１にバンド部材を３０を取付けることも可能である。
【００２１】
これにより、バンド部材３０の両側を、座蒲団１２上に寝かせた乳幼児１３の胴部両側にそれぞれ配置することができる。
ここで、おむつ交換の際に、乳幼児１３の動きによってバンド部材３０が位置ずれを起こさないようにするため、ベルト保持部１７の長辺を、例えば、１５ｃｍ以上３０ｃｍ以下（ここでは、２５ｃｍ）程度に設定する。なお、ベルト保持部１７は１個で構成することなく複数個で構成することも可能であり、この場合、複数個のベルト保持部を、座蒲団１２上に寝かせた乳幼児１３に体長方向と直交する方向に、例えば１５ｃｍ以上３０ｃｍ以下の範囲に渡って設けるのがよい。
【００２２】
図１、図２、及び図４（Ａ）に示すように、ベルト保持手段１６によって座蒲団カバー１１に取付けられるバンド部材３０は、従来公知のものであり、布地（例えば、綿又は化学繊維）で構成されるバンド本体３１（例えば、幅が２ｃｍ以上５ｃｍ以下程度）と、その両側に取付けられた長さ調整部３２と、その両端部に取付けられた係合可能な雄雌型の連結具３３とを有している。
連結具３３は、バンド本体３１の一方側に設けられた雌型連結具３４と、バンド本体３１の他方側に設けられ、雌型連結具３４に係合可能な雄型連結具３５とで構成されている。雌型連結具３４は装入口３６を有しており、雄型連結具３５は先側に向かって縮幅し、装入口３６に装入されると共に更に縮幅可能な装入部３７を有している。この装入部３７は鉤状となっており、装入口３６に装入された装入部３７が、装入口３６から容易に抜けない構成となっている。なお、装入部３７の両側には、装入部３７を縮幅可能にする押圧部３８が設けられ、この押圧部３８を両側から挟み込むように抑えることで、装入部３７を縮幅させ、装入部３７を装入口３６から引き抜くことができる。
【００２３】
この雌型連結具３４と雄型連結具３５には、バンド本体３１が巻き付けられる開口部３９、４０がそれぞれ設けられている。この各開口部３９、４０にバンド本体３１を挿通し、挿通した部分をバンド本体３１と重ね合わせ、この重複部４１、４２に長さ調整部３２が取付けられている。この長さ調整部３２は、正面視してロ字状となった中央部の縦方向に固定棒が取付けられ、２つの開口部４３、４４を形成するものであり、挿通させたバンド本体３１を、長さ調整部３２の裏側から一方の開口部４３（又は開口部４４）を介して表側へ移動させ、更に他方の開口部４４（又は開口部４３）を介して裏側へ移動させることで、バンド本体３１の長さ位置を調整及び固定できるものである。
これにより、バンド本体３１の長さを長くする場合は、この重複部４１、４２の重ね代を短くし、一方、バンド本体３１の長さを短くする場合は、この重複部４１、４２の重ね代を長くすることで、バンド本体３１の長さ調整が可能になっている。
なお、長さ調整部３２と連結具３３は、プラスチック製であることが好ましい。
【００２４】
また、バンド部材の連結具は、図４（Ｂ）に示す構成にすることも可能である。
連結具４５は、バンド本体３１の一方側に設けられた雌型連結具４６と、バンド本体３１の他方側に設けられ、雌型連結具４６に係合可能な雄型連結具４７とで構成されている。雌型連結具４６は中央部が縮幅した形状となっており、その縮幅部４８が開口している。一方、雄型連結具４７は、その両側に、雌型連結具４６の先側に向かって縮幅し、装入口４９に装入されると共に更に縮幅可能な装入部５０を有している。装入部５０は鉤状となっており、装入口４９に装入された装入部５０が、装入口４９から容易に抜けない構成となっている。なお、２つの装入部５０の間には、各装入部５０を装入口４９へ真っ直ぐ導くためのガイド部５１が設けられている。
これにより、雌型連結具４６の縮幅部４８から突出した装入部５０（二点鎖線）を、両側から挟み込むように抑えることで、２つの装入部５０間の距離を短くし、各装入部５０を装入口４９から引き抜くことができる。
【００２５】
座蒲団カバー１１の下側位置には、おむつ取替えシート５２が取付けられている。
このおむつ取替えシート５２は、一辺が、例えば、３０ｃｍ以上７０ｃｍ以下の長方形（ここでは、３５ｃｍ×５０ｃｍ程度）となった従来市販されているおむつ取替えシートと同様の構成のものであり、裏地が防水シートで表地が布地となっている。このおむつ取替えシート５２の上端部中央には、おむつ取替えシート５２の幅方向に渡って面状ファスナー（ファスナーの一例）５３が設けられている。また、座蒲団カバー１１のベルト保持手段１６の下方位置、例えば２ｃｍ以上（ここでは、５ｃｍ程度）の位置には、おむつ取替えシート５２の面状ファスナー５３に互いに係合可能な面状ファスナー（ファスナーの一例）５４が取付けられている。これにより、座蒲団カバー１１からのおむつ取替えシート５２の取付け取外し作業が容易になる。
【００２６】
なお、おむつ交換用具は、カバー部材として、座蒲団カバー１１の代わりに、図５に示す布団カバー５５を使用することもできる。
布団カバー５５は、前記した座蒲団カバー１１と略同様の素材で構成されるものであり、平面視して正方形又は長方形の袋状のものである。この布団カバー５５の開口部５６の周縁には、互いに噛み合うファスナー５７が設けられ、布団カバー５５内に布団本体を装入した後、ファスナー５７を閉じる構成となっている。
この布団カバー５５の長さは、例えば、７０ｃｍ以上１００ｃｍ以下（ここでは、７５ｃｍ）程度であり、乳幼児の体長に応じた長さである。このため、布団カバー５５は、通常の使用状態と同様の配置で使用する。
【００２７】
続いて、本考案の一実施の形態に係るおむつ交換用具１０の使用方法について、図１を参照しながら説明する。
まず、乳幼児１３のおむつ交換の前に、おむつ交換用具１０を準備する。
準備に際しては、座蒲団カバー１１内に、予め座蒲団本体が装入された座蒲団１２を用意し、座蒲団カバー１１にバンド部材３０とおむつ取替えシート５２を取付ける。
次に、乳幼児１３を座蒲団１２上に寝かせ、作業者は両手でバンド部材３０の両端部の雌型連結具３４と雄型連結具３５をそれぞれ持ち、乳幼児１３の胴部を囲むようにして近づけ、胴部の上側中央で雌型連結具３４に雄型連結具３５を嵌める（図４（Ａ）の二点鎖線）。このとき、乳幼児１３の体格に合わせて、バンド部材３０の長さ調整部３２で、予めバンド本体３１の長さを調整しておく。
これにより、乳幼児１３を確実に座蒲団１２上に拘束できるので、作業者は両手を使用でき、おむつ交換を容易化し、迅速化できる効果も大きい。
【００２８】
おむつの取替えが終了した後、作業者は片手で連結具３３の雄型連結具３５の押圧部３８を挟み込むように押さえることで、雌型連結具３４の装入口３６から雄型連結具３５の装入部３７を外し、連結具３３の係合状態を解除できる（図４（Ａ）の実線）。そして、乳幼児１３を座蒲団１２上から抱え上げ、例えばベビーベッドへ移す。
なお、おむつ取替えシート５２が、例えば、乳幼児１３が装着していたおむつの影響、又はおむつ交換の際の乳幼児の放尿によって汚れた場合は、座蒲団カバー１１からおむつ取替えシート５２を素早く取り外して洗濯することが可能である。また、座蒲団カバー１１が汚れた場合も、座蒲団カバー１１内から座蒲団本体を取り出し、座蒲団カバー１１を洗濯することが可能である。このため、座蒲団本体を汚すことが少ない。更に、天気のよい日には、座蒲団カバー１１を日光にあてて消毒することもできる。
【００２９】
以上、本考案を、一実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案のおむつ交換用具を構成する場合も本考案の権利範囲に含まれる。
【図面の簡単な説明】
【００３０】
【図１】本考案の一実施の形態に係るおむつ交換用具の使用状態の説明図である。
【図２】同おむつ交換用具の平面図である。
【図３】（Ａ）〜（Ｆ）は同おむつ交換用具のベルト保持手段のボタン孔形成方法の説明図である。
【図４】（Ａ）、（Ｂ）は同おむつ交換用具のバンド部材の平面図、変形例に係るバンド部材の平面図である。
【図５】変形例に係るおむつ交換用具の平面図である。
【符号の説明】
【００３１】
１０：おむつ交換用具、１１：座蒲団カバー（カバー部材）、１２：座蒲団、１３：乳幼児、１４：開口部、１５：ファスナー、１６：ベルト保持手段、１７：ベルト保持部、１８：係止部材、１９：スナップ、２０：面状ファスナー、２１：スナップ、２２：ボタン孔、２３、２４：布、２５、２６：開口部、２７、２８：周縁、２９：中心位置、３０：バンド部材、３１：バンド本体、３２：長さ調整部、３３：連結具、３４：雌型連結具、３５：雄型連結具、３６：装入口、３７：装入部、３８：押圧部、３９、４０：開口部、４１、４２：重複部、４３、４４：開口部、４５：連結具、４６：雌型連結具、４７：雄型連結具、４８：縮幅部、４９：装入口、５０：装入部、５１：ガイド部、５２：おむつ取替えシート、５３、５４：面状ファスナー（ファスナー）、５５：布団カバー（カバー部材）、５６：開口部、５７：ファスナー
【図１】
0003111632.tif 000003
【図２】
0003111632.tif 000004
【図３】
0003111632.tif 000005
【図４】
0003111632.tif 000006
【図５】
0003111632.tif 000007